(57)【要約】      （修正有）【課題】ショベルなどの工作機械のアタッチメントに対し、操作者が可変の周波数及び/又は振幅で揺さぶることができる工作機械及びその制御システムを提供する。【解決手段】工作機械１０が、地面係合構造物１２と当該地面係合構造物を介して当該工作機械を動かす推進システムとを含む。本体１４が地面係合構造物上に支持され、かつ、作業アーム１６が当該本体に接続されて一端にアタッチメント受入用可動部を有する。可動部を選択的かつ可変的に振動させる制御システムが設けられる。【選択図】図１
2014227828.tif 000002
【特許請求の範囲】
【請求項１】
工作機械であって、
地面係合構造物と、
前記地面係合構造物を介して前記工作機械を動かす推進システムと、
前記地面係合構造物上に支持される本体と、
前記本体に接続された作業アームであって一端がアタッチメントを受け入れる可動部を有する作業アームと、
前記可動部を選択的に振動させる制御システムであって、
前記可動部を選択的に振動させるべく構成かつ配列されたアクチュエータと、
前記アクチュエータを制御するべく構成された電子制御器と、
前記制御器と通信するユーザ入力デバイスと
を含む制御システムと
を含み、
前記ユーザ入力デバイスは、前記可動部の振動の所望の振幅及び／又は周波数を示す振動信号を前記電子制御器に選択的に送信するべく構成された振動入力部を含み、
前記振動入力部は、前記電子制御器へ送信される振動信号を変えるべく可変であり、
前記電子制御器は、前記振動信号を受信した場合に、前記振動信号によって示された所望の周波数及び／又は振幅で前記可動部を振動させるように前記アクチュエータを選択的に起動させるべく構成される工作機械。
【請求項２】
前記アクチュエータは、前記可動部を直接的に振動させるべく構成される、請求項１に記載の工作機械。
【請求項３】
前記アクチュエータは、前記可動部を間接的に振動させるべく構成される、請求項１に記載の工作機械。
【請求項４】
前記振動信号は強度指示を含み、
前記制御器は、前記強度指示を所望の振動周波数及び／又は振幅に変換するアルゴリズム及び／又はルックアップテーブルを使用するべく構成される、請求項１から３のいずれか一項に記載の工作機械。
【請求項５】
前記入力デバイスは、前記可動部の所望の位置変化を示す位置信号を前記電子制御器に送信するべく構成された位置入力部を含み、
前記電子制御器は、前記位置信号を受信した場合に前記アクチュエータを起動させて前記可動部を所望どおりに動かす、請求項１から４のいずれか一項に記載の工作機械。
【請求項６】
前記位置変化は、前記本体に対する角度位置変化及び／又は空間位置変化である、請求項５に記載の工作機械。
【請求項７】
前記制御器は、前記可動部を第１位置から第２位置へ動かすのと同時に前記可動部を所望の振幅及び／又は周波数で振動させるように前記アクチュエータを作動させる信号を送るべく構成される、請求項５又は６に記載の工作機械。
【請求項８】
前記可動部の動きと振動とを同時に行うことは、前記制御システムの指示部から受信された信号に応じて選択的に適用される、請求項７に記載の工作機械。
【請求項９】
前記指示部は、前記工作機械のユーザインタフェースに設けられたボタン又はスイッチである、請求項８に記載の工作機械。
【請求項１０】
前記制御器は、前記可動部を、前記可動部の動きと振動とが同時の場合に、前記可動部が動くだけの場合よりも遅い速度で所望の方向に動かすべく構成される、請求項７から９のいずれか一項に記載の工作機械。
【請求項１１】
前記振動入力部及び前記位置入力部は、ユーザが片手を使用するのと同時にアクセス可能となるように位置決めされる、請求項５から１０のいずれか一項に記載の工作機械。
【請求項１２】
前記位置入力部は制御デバイスを含み、
ユーザは、前記可動部の所望の位置変化を示すべく前記制御デバイスを動かすことができる、請求項１１に記載の工作機械。
【請求項１３】
前記位置信号によって示された所望の位置変化は、前記制御デバイスのニュートラル位置に対する前記制御デバイスの位置に比例する、請求項１２に記載の工作機械。
【請求項１４】
前記制御デバイスは、前記制御器へ送信される振動信号が前記制御デバイスの位置に依存するように構成される、請求項１２又は１３に記載の工作機械。
【請求項１５】
前記振動信号によって示された所望の振動周波数及び／又は振幅は、前記制御デバイスのニュートラル位置に対する前記制御デバイスの位置に比例する、請求項１４に記載の工作機械。
【請求項１６】
前記制御デバイスはジョイスティックである、請求項１２から１５のいずれか一項に記載の工作機械。
【請求項１７】
前記ジョイスティックはアナログジョイスティックである、請求項１６に記載の工作機械。
【請求項１８】
前記ジョイスティックはデジタルジョイスティックである、請求項１６に記載の工作機械。
【請求項１９】
前記制御器は、前記ジョイスティックがニュートラル位置にある場合を検出し、かつ、前記ジョイスティックが前記ニュートラル位置から外れた場合にのみ信号を送信して前記可動部の振動を作動させるべく構成される、請求項１６から１８のいずれか一項に記載の工作機械。
【請求項２０】
前記アクチュエータは油圧アクチュエータを含む、請求項１から１９のいずれか一項に記載の工作機械。
【請求項２１】
前記アクチュエータは、前記可動部を振動させるべく、前記作業アームと前記可動部との間に、前記本体と前記作業アームとの間に、又は前記作業アームの複数のコンポーネント間に操作可能に接続される、請求項１から２０のいずれか一項に記載の工作機械。
【請求項２２】
前記油圧アクチュエータへの流体の流れを制御するべく構成かつ配列されたバルブを含む、請求項２１に記載の工作機械。
【請求項２３】
前記バルブを制御するソレノイドを含む、請求項２２に記載の工作機械。
【請求項２４】
前記制御システムを有効化又は無効化するべく操作可能な制御システム起動オペレータを含む、請求項１から２３のいずれか一項に記載の工作機械。
【請求項２５】
前記ユーザ入力デバイスと前記制御器との通信にはＣＡＮバスメッセージが使用される、請求項１から２４のいずれか一項に記載の工作機械。
【請求項２６】
前記本体と前記作業アームとの間に又は前記作業アームの複数のコンポーネント間に第１アクチュエータを含み、
前記可動部と前記作業アームとの間に第２アクチュエータを含み、
前記入力デバイス及び前記制御システムは、前記第１アクチュエータ及び前記第２アクチュエータの双方を作動させるべく構成される、請求項１から２５のいずれか一項に記載の工作機械。
【請求項２７】
前記工作機械は制御デバイスを含み、
前記制御デバイスの位置が、前記第１アクチュエータ及び／又は前記第２アクチュエータを介して前記作業アーム及び／又は前記可動部を動かし又は振動させるか否かを示す、請求項２６に記載の工作機械。
【請求項２８】
前記作業アームは伸縮自在作業アームであり、
前記工作機械は、前記作業アームを伸縮させる第３アクチュエータを含み、
前記入力デバイス及び前記制御システムは、前記作業アームの伸縮の位置及び振動を制御するべく構成される、請求項２６又は２７に記載の工作機械。
【請求項２９】
請求項１から２８のいずれか一項に記載の工作機械の制御システム。
【請求項３０】
本体に接続された作業アームと、前記作業アームの一端に備えられたアタッチメント取り付け用可動部とを有するタイプの工作機械用の制御システムであって、
前記工作機械は２つの操作モードを有し、
第１モードでは前記アタッチメントの位置が前記本体に対して調整可能であり、
第２モードでは前記アタッチメントが前記本体に対して振動し、
前記アタッチメントの動きはアクチュエータを使用して達成され、
前記制御システムは、
工作機械本体に対する工作機械可動部の所望の位置変化を受け入れるべく構成された位置入力部と、工作機械可動部が振動するべきであることのユーザからの指示を受け入れるべく構成されかつ前記振動の周波数及び／又は振幅のユーザからの入力を受け入れるべく構成された振動入力部とを有する入力デバイスと、
制御器と
を含み、
前記位置入力部は、前記可動部の所望の位置変化速度を示す信号を前記制御器に送信するべく構成され、
前記振動入力部は、前記可動部が振動するべき時並びに前記振動の周波数及び／又は振幅を示す信号を前記制御器に送信するべく構成され、
前記制御器は、前記位置の信号及び／又は振動の信号を受信した場合、所望の位置変化速度で前記可動部を動かし及び／又は所望の振動の周波数及び／又は振幅で前記可動部を振動させる信号を工作機械のアクチュエータに送信するべく構成される制御システム。
【請求項３１】
工作機械を操作する方法であって、
前記工作機械は、
地面係合構造物と、
前記地面係合構造物を介して前記工作機械を動かす推進システムと、
前記地面係合構造物上に支持される本体と、
前記本体に接続された作業アーム及び前記作業アームの一端にあるアタッチメント受入用可動部と、
請求項２９に記載の制御システムであって制御デバイスを含む制御システムと
を含み、
前記工作機械の制御デバイスを動かして前記可動部を動かすことであって、前記可動部の位置変化速度はニュートラル位置に対する前記制御デバイスの位置に比例することと、
前記可動部の振動の所望の振幅及び／又は周波数を入力することと、
前記可動部の振動を開始することと
を含む方法。
【請求項３２】
前記所望の振幅及び／又は周波数を前記可動部の振動中に調整することを含む、請求項３１に記載の方法。
【請求項３３】
前記所望の振幅及び／又は周波数は、前記可動部を動かすべく使用される制御デバイスを使用して入力される、請求項３１又は３２に記載の方法。
【発明の詳細な説明】
【技術分野】
【０００１】
本発明は、工作機械、工作機械用制御システム、及び／又は工作機械の操作方法に関する。
【背景技術】
【０００２】
作業アーム及びこれに接続されたアタッチメントを有するタイプの工作機械（例えば、ショベル、バケット又はフォーク等が接続された伸縮自在ハンドラ、掘削機、バックホー積込機等のような材料取り扱い車両）を操作していると、そのアタッチメントを揺さぶることが望ましい場合がある。アタッチメントは、固着した材料を取り除くべく、材料をアタッチメント内で水平レベルにするべく、アタッチメントから材料を均等に分散させるべく、又は梱包、飼料固形物、束等をばらばらにするべく揺さぶられることがある。
【０００３】
入力部（例えばジョイスティック）と制御バルブとの機械的又はパイロット油圧的な接続を有する油圧操作又は手動制御されるシステムでは、アタッチメントは、ジョイスティックの前後動を使用して揺さぶられる。ジョイスティックの前後動によって、アタッチメントの動きを制御する単数又は複数の油圧アクチュエータに選択的に流体が供給される。
【０００４】
しかしながら、電気油圧システムでは、この方法を使用することができない。油圧制御バルブとの直接的な連結が存在しないからである。すなわち、システムに所定程度の待ち時間が存在するからである。待ち時間は、操作者が、必要な揺さぶりを達成する所望の振動周波数及び／又は振幅を容易に見出すことができないことを意味する。
【発明の概要】
【０００５】
本発明は、操作者がアタッチメントを可変の周波数及び／又は振幅で揺さぶることができる工作機械の制御システムを与えることを課題とする。
【０００６】
本発明の第１側面によれば、工作機械であって、地面係合構造物と、当該地面係合構造物を介して当該工作機械を動かす推進システムと、当該地面係合構造物上に支持される本体と、当該本体に接続された作業アームであって一端がアタッチメントを受け入れる可動部を有する作業アームと、当該可動部を選択的に振動させる制御システムであって、当該可動部を選択的に振動させるべく構成かつ配列されたアクチュエータと、当該アクチュエータを制御するべく構成された電子制御器と、当該制御器と通信するユーザ入力デバイスとを含む制御システムとを含み、前記ユーザ入力デバイスは、当該可動部の振動の所望の振幅及び／又は周波数を示す振動信号を当該電子制御器に選択的に送信するべく構成された振動入力部を含み、当該振動入力部は、当該電子制御器へ送信される振動信号を変えるべく可変であり、当該電子制御器は、当該振動信号を受信した場合に、当該振動信号によって示された所望の周波数及び／又は振幅で当該可動部を振動させるように当該アクチュエータを選択的に起動させるべく構成される工作機械が与えられる。
【０００７】
有利には、制御システムによって、工作機械に接続されたアタッチメントは、特定の操作者のスキルなしに、可変の振幅及び／又は周波数で振動することができる。さらに、アクチュエータを制御する電子制御器を使用することによって、振動が繰り返し可能となる。すなわち、一貫性のある振幅及び／又は周波数が得られる。
【０００８】
アクチュエータは、可動部を直接的に振動させるべく構成される。例えば、可動部は、作業アームに対する当該可動部の枢軸振動を介して振動される。
【０００９】
アクチュエータは、可動部を間接的に振動させるべく構成することもできる。例えば、可動部は、作業アームの振動を介して振動される。作業アームは伸縮自在作業アームであり、可動部は当該作業アームの伸縮を介して振動される。
【００１０】
振動信号は強度指示を含む。制御器は、強度指示を所望の振動周波数及び／又は振幅に変換するアルゴリズム及び／又はルックアップテーブルを使用するべく構成される。振動の周波数及び振幅を特定するべく強度指示を使用することにより、ユーザにとっての有用性が高まる。
【００１１】
入力デバイスは、可動部の所望の位置変化を示す位置信号を電子制御器に送信するべく構成された位置入力部を含む。電子制御器は、位置信号を受信した場合にアクチュエータを起動させて可動部を所望どおりに動かすべく構成される。
【００１２】
位置変化は、本体に対する角度位置変化及び／又は空間位置変化である。
【００１３】
制御器は、可動部を第１位置から第２位置へ動かすのと同時に当該可動部を所望の振幅及び／又は周波数で振動させるように当該アクチュエータを作動させる信号を送るべく構成される。可動部の動きと振動とを同時に行うことは、制御システムの指示部から受信された信号に応じて選択的に適用される。
【００１４】
指示部は、工作機械のユーザインタフェースに設けられたボタン又はスイッチである。
【００１５】
制御器は、可動部を、当該可動部の動きと振動とが同時の場合に、当該可動部が動くだけの場合よりも遅い速度で所望の方向に動かすべく構成される。
【００１６】
振動入力部及び位置入力部は、ユーザが片手を使用するのと同時にアクセス可能となるように位置決めされる。
【００１７】
位置入力部は制御デバイスを含む。ユーザは、可動部の所望の位置変化を示すべく制御デバイスを動かすことができる。
【００１８】
位置信号によって示された所望の位置変化は、制御デバイスのニュートラル位置に対する当該制御デバイスの位置に比例する。
【００１９】
制御デバイスは、制御器へ送信される振動信号が制御デバイスの位置に依存するように構成される。
【００２０】
振動信号によって示された所望の振動周波数及び／又は振幅は、制御デバイスのニュートラル位置に対する当該制御デバイスの位置に比例する。
【００２１】
好ましくは、制御デバイスはジョイスティックである。
【００２２】
ジョイスティックはアナログジョイスティックである。その代わりに、ジョイスティックはデジタルジョイスティックでもよい。
【００２３】
制御器は、ジョイスティックがニュートラル位置にある場合を検出し、かつ、当該ジョイスティックが当該ニュートラル位置から外れた場合にのみ信号を送信して可動部の振動を作動させるべく構成される。この特徴により、付加的な安全機能が得られる。
【００２４】
所望の位置及び／又は振動強度を示すようにジョイスティックを使用することにより、人間工学に基づく制御システムが得られるので操作者の疲労を低減することができる。その代わりに、送信される振動信号を示すべく一以上のダイヤル又はスクロールボタンを使用することもできる。
【００２５】
アクチュエータは油圧アクチュエータを含んでよい。
【００２６】
アクチュエータは、作業アームと可動部との間に、本体と作業アームとの間に、又は作業アームの複数のコンポーネント間に操作可能に接続される。
【００２７】
工作機械は、油圧アクチュエータへの流体の流れを制御するべく構成かつ配列されたバルブを含む。バルブはスプールバルブでよい。
【００２８】
工作機械は、バルブを制御するソレノイドを含む。
【００２９】
工作機械は、制御システムを有効化又は無効化するべく操作可能な制御システム起動オペレータを含む。制御システム起動オペレータにより、付加的な安全機能が得られる。
【００３０】
ユーザ入力デバイスと制御器との通信にはＣＡＮバスメッセージが使用される。
【００３１】
工作機械は、本体と作業アームとの間に又は作業アームの複数のコンポーネント間に第１アクチュエータを含み、かつ、可動部と作業アームとの間に第２アクチュエータを含む。入力デバイス及び制御システムは、第１及び第２アクチュエータの双方を作動させるべく構成される。
【００３２】
工作機械はジョイスティックを含む。ジョイスティックの位置が、第１及び／又は第２アクチュエータを介して作業アーム及び／又は可動部を動かし又は振動させるか否かを示す。
【００３３】
作業アームは伸縮自在作業アームである。工作機械は、作業アームを伸縮させる第３アクチュエータを含む。入力デバイス及び制御システムは、作業アームの伸縮の位置及び振動を制御するべく構成される。
【００３４】
工作機械は、伸縮自在ハンドラ、バックホー積込機、掘削機又は他の任意のタイプの材料取り扱い車両である。
【００３５】
本発明の第２側面によれば、第１側面に係る工作機械の制御システムが与えられる。
【００３６】
本発明の第３側面によれば、本体に接続された作業アームと、当該作業アームの一端に備えられたアタッチメント取り付け用可動部とを有するタイプの工作機械用の制御システムであって、当該工作機械は２つの操作モードを有し、第１モードでは当該アタッチメントの位置が当該本体に対して調整可能であり、第２モードでは当該アタッチメントが当該本体に対して振動し、当該アタッチメントの動きはアクチュエータを使用して達成され、当該制御システムは、工作機械本体に対する工作機械可動部の所望の位置変化を受け入れるべく構成された位置入力部と、工作機械可動部が振動するべきであることのユーザからの指示を受け入れるべく構成されかつ当該振動の周波数及び／又は振幅のユーザからの入力を受け入れるべく構成された振動入力部とを有する入力デバイスと、制御器とを含み、当該位置入力部は、当該可動部の所望の位置変化速度を示す信号を制御器に送信するべく構成され、当該振動入力部は、当該可動部が振動するべき時並びに当該振動の周波数及び／又は振幅を示す信号を当該制御器に送信するべく構成され、当該制御器は、位置信号及び／又は振動信号を受信した場合、所望の位置変化速度で当該可動部を動かし及び／又は所望の振動周波数及び／又は振幅で当該可動部を振動させる信号を工作機械のアクチュエータに送信するべく構成される制御システムが与えられる。
【００３７】
第３側面の制御器は、第２側面の制御システムの一以上のオプション機能を有する。
【００３８】
本発明の第４側面によれば、工作機械を操作する方法であって、当該工作機械は、地面係合構造物と、当該地面係合構造物を介して当該工作機械を動かす推進システムと、当該地面係合構造物上に支持される本体と、当該本体に接続された作業アーム及び当該作業アームの一端にあるアタッチメント受入用可動部と、第２又は第３側面に係る制御システムであって制御デバイスを有する制御システムとを有するタイプであり、当該工作機械の制御デバイスを動かして当該可動部を動かすことであって、当該可動部の位置変化速度はニュートラル位置に対する当該制御デバイスの位置に比例することと、当該可動部の振動の所望の振幅及び／又は周波数を入力することと、当該可動部の振動を開始することとを含む方法が与えられる。
【００３９】
方法は、可動部の振動中に所望の振幅及び／又は周波数を調整することを含む。
【００４０】
所望の振幅及び／又は周波数は、可動部を動かすべく使用される制御デバイスを使用して入力される。
【図面の簡単な説明】
【００４１】
添付図面を参照して以下に本発明の実施形態を記載する。
【００４２】
【図１】工作機械の平面図を示す。
【図２】図１の工作機械を制御する制御システムへの入力を与えるジョイスティックを模式的に示す。
【図３】図１の工作機械を操作するための制御システムの一部を示す。
【図４】図２の制御システムの異なる一部を示す。
【図５】図２の制御システムのさらに異なる一部を示す。
【図６】図１の工作機械を操作する制御論理を示す。
【発明を実施するための形態】
【００４３】
図１を参照すると、工作機械が一般に１０で示される。工作機械１０は、材料取り扱い車両、詳しくは伸縮自在ハンドラである。工作機械１０は、地面係合構造物１２、本体１４、及び、一般に水平方向の軸Ｘ−Ｘまわりに枢動可能に本体１４に接続された作業アーム１６を含む。作業アーム１６は、本体１４の後部に接続されて本体１４の前位置まで伸長する。この実施形態ではショベル１８であるアタッチメントが、本体１４の前部を向くように位置決めされた作業アーム１６の一端に接続される。ショベル１８は、可動部１７を介して作業アーム１６に接続される。
【００４４】
本実施形態では、地面係合構造物１２は、４つの車輪２０を含むが、代替の実施形態では、地面係合構造物は別の数の車輪又は軌道を含む。本体１４は、地面係合構造物１２上に支持され、かつ、運転台２２を含む。ユーザは運転台２２から、工作機械１０の運転及び操作を行う。エンジン（図示せず）が本体１４内に設けられる。エンジンは、工作機械に動力を与えるとともに、油圧システム用ポンプ（図示せず）及び電気システムに電力を与えるオルタネータ（図示せず）を駆動する。
【００４５】
本実施形態では、内側及び外側部分１６ａ、１６ｂを有する作業アーム１６は伸縮自在アームである。内側及び外側部分１６ａ、１６ｂは、互いに対して摺動してアームの全体的な長さを増加させる。
【００４６】
作業アーム１６を枢動させるべく、２つの油圧アクチュエータ２４、２６が本体１４と作業アーム１６との間に設けられる。油圧アクチュエータが伸長すると、実質的に水平方向の軸Ｘ−Ｘまわりに作業アームが枢動してショベル１８が地面から離れるように動く。油圧アクチュエータが収縮すると、軸Ｘ−Ｘまわりに作業アームが枢動してショベル１８が地面に向かって動く。
【００４７】
さらなる油圧アクチュエータ（図１では見えない）が、作業アーム１６内に設けられて伸縮自在アームの伸縮を行う。その結果、伸縮自在アームは長さが増減する。
【００４８】
なおもさらなる油圧アクチュエータ（図１では見えない）が、作業アーム１６と可動部１７との間に作用してショベル１８を傾動させる。その結果、油圧アクチュエータの伸縮によってショベルが、第２の実質的に水平方向の軸Ｙ−Ｙまわりに回転する。
【００４９】
工作機械１０は、作業アーム１６の油圧アクチュエータを制御する電気油圧（「サーボ」）制御システムを含む。これにより、作業アームの位置、作業アームの長さ、及びショベル１８の角度位置が制御される。かかる制御システムは、このタイプの工作機械内にある機械的連結／油圧ホースの量を低減させ、さらに（例えば、回転可能座席又は操舵輪上に入力部を配置するような）制御部の位置決め自由度を大きく許容する。入力部を電子制御ユニット（ＥＣＵ）に接続するのに必要なのは電気配線又は無線送信器のみだからである。
【００５０】
ユーザは、運転台２２から工作機械１０を操作する。運転台２２は、座席２１、操舵輪２３、及び他の様々な工作機械１０操作用の物理的制御部を含む。かかる物理的制御部の一つは、図２に示される制御デバイス５２である。これは、電気油圧制御システムへの入力を与える。本実施形態では、制御デバイスはデジタルジョイスティックである。他の実施形態では、制御デバイスは、アナログジョイスティック、レバー、制御パッド、タッチスクリーン等の形態をとる。
【００５１】
ジョイスティック５２は、Ｘ方向及びＹ方向に動くことができる。例えば、前後、左右、並びにＸ及びＹ方向によって画定される平面内の複数位置に動くことができる。
【００５２】
本願では位置決めモードの操作と称する工作機械１０の標準的な操作の間、ジョイスティックのＸ方向及び／又はＹ方向の動きによって、作業アーム１６の枢動及びショベル１８の傾動が制御される。ジョイスティックのＸ方向の動き、すなわち本実施形態では前後の動きによって、作業アーム１６の軸Ｘ−Ｘまわりの枢動が制御される。ジョイスティックのＹ方向の動き、すなわち本実施形態では左右の動きによって、ショベル１８の軸Ｙ−Ｙまわりの傾動が制御される。
【００５３】
ジョイスティック５２は制御システム３２に連結される。その一部が図３に示される。制御システム３２は、ジョイスティックに基づく位置エンコーダの形態にある入力デバイス３４と、入力信号を入力デバイスから受信しかつ出力信号をソレノイド３７、３８、３９及び４０を介してバルブ４２、４４へ送信するべく構成された電子制御ユニット（ＥＣＵ）３６とを含む。ＥＣＵは、任意の適切なタイプのマイクロプロセッサ制御器である。
【００５４】
バルブ４２、４４は、エンジン（図示せず）により駆動されるポンプから油圧アクチュエータ２４、２６への油圧流体供給を制御する。点線は、制御システムの複数のコンポーネント間の電気接続を示し、実線は、制御システムの複数のコンポーネント間の油圧接続を示す。
【００５５】
ジョイスティック５２は、例えば後ろ方向へのジョイスティックの動きによって位置決め信号がＥＣＵに送信されるように、所定モードの入力を入力デバイス３４に与えるべく構成される。位置決め信号は、ジョイスティックがニュートラルから外れて動かされた距離、すなわちニュートラル位置から０％〜１００％に関連する情報を包含する。本実施形態では、信号は、ＣＡＮバスメッセージ（制御器エリアネットワークバスメッセージ）を介してＥＣＵに送信される。本実施形態では、制御システムではＪ１９３９ＣＡＮバスが使用される。
【００５６】
ＥＣＵ３６は、ジョイスティック位置のＣＡＮバスメッセージを受信してソレノイド３７、３８、３９、４０に送信するべき電気信号を決定する。ジョイスティックの後ろ方向への動きに係る本例では、信号はソレノイド３８及び４０に送信される。ソレノイド３８及び４０はその後、バルブ４２、４４（本実施形態ではスプールバルブである）を、油圧アクチュエータ２４、２６への流体の流れを許容する位置まで、ジョイスティック５２のニュートラルから外れた距離に対応する速度で動かす。油圧アクチュエータ２４、２６への流体の流れにより、ニュートラル位置に対するジョイスティックの位置に対応する速度で油圧アクチュエータ、ひいては（本例では）作業アームが動かされる。
【００５７】
本実施形態では、ニュートラル位置に対するジョイスティック５２の位置、すなわちニュートラル位置から０％〜１００％は、作業アームが動く速度に実質的に比例する。本実施形態では、ＥＣＵ３６は、０％から２％までの動きによっては関連する油圧アクチュエータの動きが開始されないように構成される。
【００５８】
ジョイスティック５２の後ろ方向の動き及び作業アーム１６の本体からの上昇に対する例を記載してきた。しかしながら、わかるように、同様にしてジョイスティックの前方向の動きが、作業アームが本体１４に向かう下降も引き起こす。ジョイスティック５２のＹ方向の動きもまた、同様にしてショベル１８の傾動を引き起こす。本実施形態のジョイスティック５２は、Ｘ方向及びＹ方向双方の同時の動きを許容するべく構成されるので、作業アーム１６の上昇又は下降とショベル１８の傾動とを同時に行うことができる。
【００５９】
図２に戻ると、本実施形態では、ジョイスティック５２はスクロールボタン７４を含む。スクロールボタンの前方向の動きによって作業アーム１６が伸長し、スクロールボタンの後ろ方向の動きによって作業アーム１６が収縮する。代替の実施形態では、例えばミニジョイスティック又はスライダー型スイッチのような代替のタイプの入力が使用される。スクロールボタンの前方向又は後ろ方向の動きが、作業アームの伸縮を引き起こす。これは、作業アーム１６の上昇及び下降に対して記載された態様と同様である。
【００６０】
本発明の制御システム３２は付加的に、工作機械が振動モードで操作されることを許容する。振動モードにより、作業アームが軸Ｘ−Ｘまわりに一般に上下方向に振動し、可動部１７が軸Ｙ−Ｙまわりに振動し、及び／又は作業アーム１６が所定程度の伸縮間で振動する。振動は、典型的な位置決め動と対比すると、相対的に急速であり、かつ、相対的に限られた振幅を有する。上述のように、かかる振動は、所定数の異なる操作シナリオにおいて望ましい。
【００６１】
図２及び３を参照すると、ジョイスティック５２はさらに起動ボタン４６を含む。起動ボタン４６は、ＣＡＮバスを介してＥＣＵ３６に適切な信号を送信することによって振動モードに関与する。振動モードでは、所望の振動強度が、ジョイスティックのＸ方向及び／又はＹ方向の位置によって示される。ジョイスティックがニュートラル位置から外れれば外れるほど、振動強度は大きくなる。
【００６２】
振動モードでは、ＥＣＵ３６は、作業アーム１６の所望の振動を示す論理を含む。本実施形態では、ジョイスティックの位置によって示されるパーセント強度に基づいて振動の振幅及び／又は周波数を計算するべく、適切なアルゴリズムがルックアップテーブルとともに使用される。本実施形態では、周波数が固定されるので、強度の変動は振幅のみの変動となるが、他の実施形態では、振幅が固定されかつ周波数が変動し、又は双方ともが変動する。
【００６３】
アルゴリズム及び／又はルックアップテーブルは、機械のタイプ及び機械１０の意図される使用に応じて変化する。当業者であれば、パーセント振動強度に基づいての所望の周波数及び／又は振幅の計算方法がわかる。代替の実施形態では、振幅及び周波数のための別個の入力部が設けられるので、ユーザはこれらのパラメータを独立に変えることができる。
【００６４】
ＥＣＵ３６は、ソレノイド３７、３８、３９、４０に信号を送信してバルブ４２、４４を、油圧アクチュエータの必要な伸縮に対応する量まで開く。信号は一連の電気パルスである。例えば、油圧アクチュエータ２４を振動させるべく、一連のパルスがソレノイド３７及び３８に送信される。パルスは、ソレノイド３８に送信されたパルス信号が「オフ」の場合にソレノイド３７に送信されたパルス信号が「オン」となり、又はソレノイド３８に送信されたパルス信号が「オン」の場合にソレノイド３７に送信されたパルス信号が「オフ」となるように位相がずらされる。パルスの電圧、電流及び長さは、振動信号によって示されるパーセント強度に依存する。好ましい実施形態では、信号は、パルス幅変調（ＰＷＭ）制御としてソレノイドへ送信される。
【００６５】
油圧アクチュエータ２４、２６は、適切な配管を介してバルブ４２又は４４から供給される油圧オイルを使用して収縮又は伸長される。油圧アクチュエータ２４、２６は、ピストンがシリンダ内に配列されるタイプである。オイル供給部は、流体をシリンダ内に供給するべく当該シリンダの中におけるピストンの対向側に位置決めされる。ピストンの一側内に供給されたオイルによりシリンダが収縮し、ピストンの他側内に供給されたオイルによりシリンダが伸長する。すなわち、アクチュエータは複動式である。代替の実施形態では、２つの対向する単動式ピストンを使用する配列、又は一方向に単動し及び対向方向に重力動するピストンを使用する配列が考慮される。
【００６６】
ジョイスティック５２がニュートラル位置にありかつ振動モード起動ボタンが押される場合、ＥＣＵが「振動モード起動」メッセージを受け取るが、振動は事実上生じない。ニュートラル位置がゼロの振動強度を示すからである。
【００６７】
制御システムには、システム有効化スイッチ５６も設けられる。システム有効化スイッチは、（例えば不適切な操作シナリオの間にこのモードが不注意に使用されることを回避するべく）振動モードが使用可能であるか否かを示す信号をＥＣＵに送信するべく構成される。
【００６８】
図４を参照すると、制御システム３２はまた、油圧アクチュエータ５８を制御するべく使用される。油圧アクチュエータ５８は、可動部１７の傾動角度を制御する。
【００６９】
可動部１７の傾動制御には２つの操作モードがある。位置決めモード及び振動モードである。２つのモードは、作業アーム１６の位置決めに対して記載された態様と同様に機能する。しかしながら、可動部１７を傾動する一つのみの油圧アクチュエータ５８が設けられるので、一つのバルブ６０及び２つのソレノイド６２、６４のみが可動部１７の傾動及び振動に必要となる。
【００７０】
図５を参照すると、作業アーム１６の長さ制御もまた、２つの操作モードを有する。位置決めモード及び振動モードである（ただし、作業アームの長さの振動モードを目的とするアプリケーションはさらに限られると考えられる）。２つのモードは、作業アームの位置決めに対して記載された態様と同様に機能する。しかしながら、作業アーム１６を伸縮するべく一つのみの油圧アクチュエータ６６が設けられるので、一つのバルブ６８及び２つのソレノイド７０、７２のみが設けられる。
【００７１】
以下に工作機械１０の操作を記載する。当該操作を例示するべく工作機械１０の異なる使用が記載されるが、これらの例の操作は例示のみであるから、工作機械１０を他の多くのアプリケーションのために使用することもできる。
【００７２】
第１例では、操作者が、工作機械１０を使用して、例えば湿った土のようなショベル１８に固着しがちな材料を動かしかつ扱う。
【００７３】
まず、ユーザは、システム有効化ボタン５６のスイッチを入れて振動モードを利用可能にすべきことを示す。
【００７４】
材料を扱うべく、ユーザは、ジョイスティック５２を動かして作業アーム１６の位置を変えかつショベル１８を傾動させる。その結果、例えば、材料が拾い上げられて他の位置まで動かされる。
【００７５】
材料を出してショベル１８を空にするべく、ジョイスティック５２がＹ軸に沿って左に動かされてショベル１８は前方に傾動する。ショベルを空にするときに当該ショベルに材料が、固着したことに起因していくらか残っている場合、ユーザは、ショベルを振動させてその材料を取り除こうとする。これを行うことができるようにするべく制御システムが追従する処理が図６に提示される。
【００７６】
まず、（ステップ８０において）ＥＣＵ３６は、ユーザが振動モードを有効化するシステム有効化ボタン５６のスイッチを入れたことをチェックする。ＥＣＵはさらに、（ステップ８２において）ユーザが起動ボタン４６を押したことをモニタリングする。押していた場合、ＥＣＵは以下、ステップ８４においてジョイスティックの入力のための振動モード論理に追従する。したがって、ＥＣＵは、位置決め論理の代わりに振動論理に基づいて、ジョイスティックの強度（８６）及び方向（８８）に対応する信号を処理する。システム有効化ボタン５６又は起動ボタン４６が起動されていない場合、ＥＣＵは、ショベル１８を振動させる指令の処理を続行しない。
【００７７】
本例では、ジョイスティック５２は、傾動方向に揺さぶるべきこと、すなわち油圧アクチュエータ５８を使用してショベル１８を振動させるべきことを示すＹ軸方向に変位される。
【００７８】
ＥＣＵは、ジョイスティック５２の位置を示すＣＡＮバスメッセージを処理する。その結果、振動の所望の振幅をもたらす油圧アクチュエータの運動を達成するべくソレノイド６２及び６４に送信される電気パルスの電圧が決定される。本実施形態では、振動の周波数が固定されているが、代替の実施形態では、その周波数は可変である。
【００７９】
ＥＣＵはその後、ステップ９０において、工作機械のマスター制御部（「ＭＣＯ」）をチェックして、機械の幅広い障害又は許容不可能な操作状態（例えば、ショベルの積載量が所望の強度の安全な振動を行うには重すぎること）が存在しないことを確認する。障害が示されない（すなわちＭＣＯが起動しない）場合にのみ、ソレノイド６２、６４に電気パルスが送信される。
【００８０】
ショベル１８を（９２において）振動させるべく、第１電気信号がソレノイド６２に送信される。ソレノイド６２は、流体がポンプからシリンダ内のピストンの一端へ、振動の所望の振幅を達成する速度で流れることを許容する位置までバルブ６０を動かす。所定長さの時間の後に、第１電気信号が終わってソレノイド６２が閉じる。第２電気信号がその後、ソレノイド６４に送信される。ソレノイド６４は、流体がポンプからシリンダ内のピストンの他端へ流れることを許容する位置までバルブ６０を動かす。所定長の時間の後に、電気信号が終わってソレノイド６４が閉じる。ＥＣＵは、ジョイスティック５２がニュートラル位置まで動かされ及び／又は起動ボタン４６が押されるまで、ショベル１８を振動させるべくソレノイドの開閉を続行する。
【００８１】
振動モードの間、ユーザは、ジョイスティック５２をニュートラル位置に向かうように又はニュートラル位置から離れるように動かすことによって、振動の振幅を変えることができる。
【００８２】
記載の例では、位置決めモード及び振動モードは別個に機能する。しかしながら、代替の実施形態では、位置決めモード及び振動モードは同時に機能する。これは、ジョイスティック５２上のさらなるスイッチ（図示せず）により、スイッチ４６に３つの位置（オフ、振動専用、及び振動と位置決めとの組み合わせ）を備えさせることにより、又は自動的にプログラムすることにより起動することができる。この機構が有用な例は、一つの位置から他の位置まで穀物を移送する場合である。
【００８３】
穀物を移送するべくユーザは、ジョイスティック５２を左方向に動かしてショベルを前方に傾動させ、及びジョイスティック５２を前方向に動かしてショベル１８を下に動かす。スクロールボタン７４がその後使用されて、ショベル１８が穀物の山の中に押し込まれ、又はその代わりに工作機械１０が前方に駆動される。
【００８４】
ジョイスティック５２がその後、右に動かされてショベルが後方に枢動される（押し寄せられる）。オプションとして、作業アームの所定の上昇と組み合わせられる。
【００８５】
ショベル１８の中の穀物を、当該穀物を例えばトレーラまで移送する前に、当該ショベルからこぼれることがないように水平レベルにするべく、ショベル１８を揺さぶることが望ましい。したがって、ユーザは、ジョイスティック５２上の起動ボタン４６を押し、記載されたように振動モードを起動する。しかしながら、ショベルは、穀物をショベル内に保持するべく直立位置にしておく必要がある。そのため、振動モードの間、ショベルは、振動している間に同時に直立位置に向かってさらに傾動もする。直立位置への傾動はゆっくりと行われる。ひとたび直立位置となって穀物が水平レベルになると、起動ボタン４６を押すのをやめることにより又はジョイスティック５２をニュートラル位置に戻すことにより、振動モードが解除される。
【００８６】
工作機械１０は、他の様々なアプリケーションに使用することができる。例示のみであるが、これらは、凝集物のような材料をショベルから分散させること、梱包をばらばらにすること、家畜飼料固形物をばらばらにすること、又は束をばらばらにすることを含む。梱包、飼料固形物、又は束をばらばらにするには、可動部１７の代わりに作業アーム１６を直接振動させることが好ましい。
【００８７】
有利には、本発明は、電気油圧制御を使用する工作機械１０のアタッチメントを振動する方法を与える。
【００８８】
さらに、工作機械１０は、アタッチメント（例えばショベル１８）を繰り返しかつ調整可能に振動させる方法も与える。すべての入力機能をジョイスティック５２に与えることが意味するのは、ユーザが、ジョイスティックを握っている手を離す必要なしに容易に振動モードを起動できるということである。これにより、人間工学に基づく利点と、位置決めモード及び振動モードの操作を同時に行う能力との双方が得られる。
【００８９】
本体に対するショベルの位置変化速度を比例的に制御することと、振動をも比例的に制御することとにより、工作機械の使用の容易性が向上する。操作者が所望の振動強度を容易かつ繰り返し設定できるからである。
【００９０】
本発明が一以上の好ましい実施形態を参照して上述されてきたが、添付の特許請求の範囲に画定された本発明の範囲から逸脱することなく様々な変形又は修正をなし得ることがわかる。
【００９１】
例えば、制御システム３２は、代替タイプの工作機械に適用することができる。例えば、バックホー積込機（バックホー及び積込器作業アームの双方）、回転式掘削機、ショベルカー、ダンプカー（その傾斜機構は事実上作業アームである）、スキッドステア積込器、車輪付積込器等である。加えて、振動モードは、こうしたタイプの機械に設けられた補助油圧サービス部において、可動部に接続されかつ油圧アクチュエータを組み入れた所定のアタッチメント（例えば６イン１ショベル、グラブ等）に対して付加的な振動機能を与えるべく使用することができる。
【００９２】
さらに、油圧アクチュエータの動きを制御する代替の方法も使用される。例えば、ボタンとジョイスティックとの組み合わせの代わりに、強度を示すべく電位差計入力を使用することができる。
【００９３】
単数ジョイスティックに設けられる制御部の代わりに、複数ジョイスティックを使用し又は例えばダッシュボード上のダイヤルを使用することができる。代替の実施形態では、ジョイスティック上にジョグ／スクロールホイール又はミニジョイスティックが設けられる。スクロールホイール又はミニジョイスティックが振動入力部を与える。ジョイスティックは、２軸よりもむしろ一軸のみで動くことができる。
【００９４】
本実施形態では、振動の振幅は振動強度パラメータを使用して選択される。しかしながら、代替の実施形態では、振幅及び周波数は独立して可変である。さらに代替的に、振動を制御するべく、振幅基準の論理の代わりに時間基準の論理、又は時間及び振幅基準の論理を使用することもできる。
【００９５】
わかるように、ジョイスティック及び／又はスクロールボタンの例示的な動き方向を参照して作業アーム及び／若しくは可動部が動く方向並びに／又は作業アームの伸縮が記載されてきたが、代替の実施形態では、作業アーム及び／若しくは可動部の所与の動き方向並びに／又は作業アームの伸縮は、ジョイスティック及び／又はスクロールボタンの代替的な動き方向に対応する。例示的な実施形態が、作業アームの電気油圧作動に関連して記載されてきた。しかしながら、他の実施形態では、本発明は、電気リニアアクチュエータによって動かされる作業アームを有する工作機械に適用することもできる。
【図１】
2014227828.tif 000003
【図２】
2014227828.tif 000004
【図３】
2014227828.tif 000005
【図４】
2014227828.tif 000006
【図５】
2014227828.tif 000007
【図６】
2014227828.tif 000008
【外国語明細書】
2014227828.tif 000009
2014227828.tif 000010
2014227828.tif 000011
2014227828.tif 000012
2014227828.tif 000013
2014227828.tif 000014
2014227828.tif 000015
2014227828.tif 000016
2014227828.tif 000017
2014227828.tif 000018
2014227828.tif 000019
2014227828.tif 000020
2014227828.tif 000021
2014227828.tif 000022
2014227828.tif 000023
2014227828.tif 000024
2014227828.tif 000025
2014227828.tif 000026
2014227828.tif 000027
2014227828.tif 000028
2014227828.tif 000029
2014227828.tif 000030
2014227828.tif 000031
2014227828.tif 000032
2014227828.tif 000033
2014227828.tif 000034
2014227828.tif 000035
2014227828.tif 000036
2014227828.tif 000037